(57)【要約】【課題】アナログ電話機を公衆網からIP網へ切り換える際に生ずる給電極性の反転を防止する通信装置を提供。【解決手段】VoIPゲートウエイの電源がOFFのとき、TEL側の端子110、112はリレー12、104を介してLINE側の端子114、116に接続される。VoIPゲートウエイの電源がONにされると、PSTNインタフェース回路10では端子110、112の極性を調べて監視信号120を制御部16へ出力し、制御部16ではリレー12へ駆動電流118を供給すると共に、監視信号120が端子110、112が地気、電池であることを示す場合にはリレー104へ駆動電流122を供給する。これにより、TEL側の端子114、116は、リレー12、104を介して、端子110、112が電池、地気の場合には加入者回路10の端子c1、c2にそれぞれ接続され、端子110、112が地気、電池の場合には端子c2、c1にそれぞれ接続される。【選択図】図１
2005130234.tif 000002
【特許請求の範囲】
【請求項１】
アナログ電話端末を装置内の加入者回路および公衆網のいずれかに接続する通信装置において、該装置は、
前記加入者回路および公衆網のいずれかを選択する第１の切換手段と、
該第１の選択手段により選択された加入者回路または公衆網をアナログ電話端末に接続する第２の切換手段と、
公衆網から供給される直流電圧の極性を検知する極性検知手段とを含み、
前記第２の切換手段は、直流電圧の極性を反転させる転極手段を含み、前記加入者回路をアナログ電話端末に接続する場合に、前記極性検知手段がリバース極性を検知したとき前記加入者回路から出力される直流電圧の極性を反転させてアナログ電話端末へ出力することを特徴とする通信装置。
【請求項２】
アナログ電話端末を装置内の加入者回路および公衆網のいずれかに接続する通信装置において、該装置は、
公衆網から供給される直流電圧の極性を検知する極性検知手段と、
直流電圧の極性を反転させる転極手段を含み、前記極性検知手段がリバース極性を検知したとき前記加入者回路から出力される直流電圧の極性を反転させる第３の切換手段と、
該第３の切換手段および公衆網のいずれかを選択してアナログ電話端末に接続するする第４の切換手段とを含むことを特徴とする通信装置。
【請求項３】
請求項２に記載の通信装置において、該装置は、前記加入者回路に含まれる転極スイッチを前記第３の切換手段として使用することを特徴とする通信装置。
【請求項４】
アナログ電話端末を装置内の加入者回路および公衆網のいずれかに接続する通信装置において、該装置は、
前記加入者回路および公衆網のいずれかを選択する第１の切換手段と、
該第１の選択手段により選択された加入者回路または公衆網をアナログ電話端末に接続する第５の切換手段とを含み、
該第５の切換手段は、出力側を一時的に地気に接続する地気接続手段を含み、前記加入者回路をアナログ電話端末に接続する場合、少なくとも前記第１の切換手段が切換動作中であるときは出力側を地気に接続することを特徴とする通信装置。
【請求項５】
請求項４に記載の通信装置において、該装置は、前記加入者回路に含まれる転極スイッチを前記第５の切換手段として使用することを特徴とする通信装置。
【発明の詳細な説明】
【技術分野】
【０００１】
本発明は、アナログ電話機をIP（Internet Protocol）網または公衆網に切り換えて接続する通信装置に関し、特にアナログ電話機を公衆網からIP網へ切り換える際に生ずるアナログ電話機等による着信誤検出を防止する通信装置に関するものである。
【背景技術】
【０００２】
VoIP(Voice over IP)ゲートウエイには、IP網、公衆網およびアナログ電話機を収容し、アナログ電話機を運用停止時には公衆網へ接続し、運用時にはIP網または公衆網へ接続するゲートウエイがある。図８はこのようなVoIPゲートウエイの一例を示す。ただし、アナログ電話機をIP網または公衆網へ切り換える部分のみを示す。図８のVoIPゲートウエイ204は、リレー218、220および加入者回路222を含み、その端子214、216は電話ケーブル（ストレートケーブル）202およびローゼット200を介して公衆網に接続され、その端子224、226は電話機ケーブル206を介してアナログ電話機208に接続されている。
【０００３】
リレー218、220は、VoIPゲートウエイ204が運用停止のとき、接点a1と接点a2間および接点b1と接点b2間をそれぞれ接続するので、端子214、216はリレー218、220を介して端子224、226にそれぞれ接続される。これにより、アナログ電話機208は公衆網に接続される。また、リレー218、220は、VoIPゲートウエイ204が運用中のとき、接点a1と接点a3間および接点b1と接点b3間をそれぞれ接続するので、アナログ電話機208は加入者回路222に接続される。加入者回路222は、アナログ電話機を収容する電話機インタフェース回路であり、アナログ電話機208への給電、リンガーの発生、音声の送受信、給電の極性反転等を行う機能を有する。アナログ電話機208は、この加入者回路208およびその他の回路を介してIP網に接続される。
【０００４】
なお、公衆網では回線が空き状態にあるとき、ローゼット200のピン210、212における極性がそれぞれ電池（-48V）、地気となるように給電を行うので、加入者回路214も公衆網の場合と同様に、回線が空き状態にあるとき端子ａが電池（-48V）、端子ｂが地気となるように給電を行う必要がある。
【０００５】
【特許文献１】特開２０００−１３４２９２号公報
【発明の開示】
【発明が解決しようとする課題】
【０００６】
しかしながら、上記のVoIPゲートウエイ204では、ローゼット200とVoIPゲートウエイ204を接続する電話ケーブル202にクロスケーブルを使用した場合、ローゼット200のピン210、212はVoIPゲートウエイ204の端子216、214にそれぞれ接続されるので、端子214は地気に端子216は電池になる。したがって、アナログ電話機208が公衆網に接続されるとき、アナログ電話機208の端子228、230はそれぞれ地気、電池となる。
【０００７】
一方、加入者回路222は、端子ａ、ｂにおける極性がそれぞれ電池、地気となるように給電を行う。したがって、アナログ電話機208が加入者回路222に接続されるとき、アナログ電話機208の端子228、230はそれぞれ電池、地気となる。このため、アナログ電話機208の接続先を公衆網から加入者回路222へ切り換えたとき、アナログ電話機208の端子228、230における極性は反転することとなり、極性反転により着信を検出するアナログ電話機208では、この極性反転により誤って着信があったものと判断してしまうという問題点があった。
【０００８】
本発明はこのような従来技術の欠点を解消し、アナログ電話機を公衆網からIP網へ切り換える際に発生する給電の極性反転を防止し、アナログ電話機による着信誤検出を防止する通信装置を提供することを目的とする。
【課題を解決するための手段】
【０００９】
本発明は上述の課題を解決するために、アナログ電話端末を装置内の加入者回路および公衆網のいずれかに接続する通信装置において、加入者回路および公衆網のいずれかを選択する第１の切換手段と、第１の選択手段により選択された加入者回路または公衆網をアナログ電話端末に接続する第２の切換手段と、公衆網から供給される直流電圧の極性を検知する極性検知手段とを含み、第２の切換手段は、直流電圧の極性を反転させる転極手段を含み、加入者回路をアナログ電話端末に接続する場合に、極性検知手段がリバース極性を検知したとき加入者回路から出力される直流電圧の極性を反転させてアナログ電話端末へ出力することを特徴とする。
【００１０】
また、本発明は、アナログ電話端末を装置内の加入者回路および公衆網のいずれかに接続する通信装置において、公衆網から供給される直流電圧の極性を検知する極性検知手段と、直流電圧の極性を反転させる転極手段を含み、極性検知手段がリバース極性を検知したとき加入者回路から出力される直流電圧の極性を反転させる第３の切換手段と、第３の切換手段および公衆網のいずれかを選択してアナログ電話端末に接続するする第４の切換手段とを含むことを特徴とする。
【００１１】
また、本発明は、アナログ電話端末を装置内の加入者回路および公衆網のいずれかに接続する通信装置において、加入者回路および公衆網のいずれかを選択する第１の切換手段と、第１の選択手段により選択された加入者回路または公衆網をアナログ電話端末に接続する第５の切換手段とを含み、第５の切換手段は、出力側を一時的に地気に接続する地気接続手段を含み、加入者回路をアナログ電話端末に接続する場合、少なくとも第１の切換手段が切換動作中であるときは出力側を地気に接続することを特徴とする。
【発明の効果】
【００１２】
本発明によれば、アナログ電話端末を公衆網から装置内の加入者回路へ切り換える際に、加入者回路からアナログ電話端末に供給される直流電圧の極性を公衆網から供給される直流電圧の極性に一致させることにより接続切換による極性反転の発生を防止しているので、アナログ電話端末による着信誤検出を防止することができる。
【発明を実施するための最良の形態】
【００１３】
次に添付図面を参照して本発明による通信装置の実施例を詳細に説明する。なお、通信装置がVoIPゲートウエイである場合の実施例について説明するが、アナログ電話端末を装置内の加入者回路および公衆網のいずれかに選択的に接続する装置であればVoIPゲートウエイに限定されるものではない。図１を参照すると、本発明による通信装置の第１の実施例は、加入者回路10、リレー12、着信誤検出防止回路14および制御部16を含み、LINE側の端末110、112は公衆網（例えば、アナログ電話交換機）に接続され、TEL側の端子114、116にはアナログ端末装置（例えば、アナログ電話機）が接続されるVoIPゲートウエイである。なお、図１において、接続線に付した参照符号は同接続線に現れる信号を示す。
【００１４】
TEL側に接続されるアナログ電話機（以下、電話機と称する）は、VoIPゲートウエイが運用停止中のとき公衆網に接続され、VoIPゲートウエイが運用中とき加入者回路10を介してIP網あるいは公衆網へ接続される。加入者回路10は、電話機を収容する回路であり、通称“ＢＯＲＳＣＨＴ”機能と呼ばれる機能を備えている。例えば、Ｂは極性反転によりノーマル給電およびリバース給電を行う通話電流供給機能を、Ｏは加入者回路をサージ電圧から保護する過電圧保護機能を、Ｒは電話機のベルを鳴らすためのIR信号を送出する呼出信号送出機能をそれぞれ表わす。なお、加入者回路10は、電話機に対する回線が空き状態のとき、その端子c1、c2がそれぞれ電池（-48V）、地気になるように端子c1、c2から直流を出力する。
【００１５】
リレー12は、LINE側および加入者回路10のいずれかを選択する切換手段である。本実施例では、固定接点a1および可動接点a2、a3からなる切換接点T1と固定接点b1および可動接点b2、b3からなる切換接点T2とを有し、接点a2、b2はLINE側の端子110、112にそれぞれ接続され、接点a3、b3は加入者回路10の端子c1、c2にそれぞれ接続されている。リレー12は、制御部16から駆動電流118が供給されないとき、接点a1と接点a2間および接点b1と接点b2間をそれぞれ接続してLINE側を選択し、駆動電流118が供給されたとき、接点a1を接点a2から切り離して接点a3に接続し、接点b1を接点b2から切り離して接点b3に接続して加入者回路10を選択する。
【００１６】
着信誤検出防止回路14は、PSTNインタフェース回路10およびリレー104から構成される。PSTNインタフェース回路100は、公衆網を収容する回路であり、LINE側の端子110、112における直流電圧の極性を検知する極性検知手段を含む。具体的には、VoIPゲートウエイの電源がオン（ON）にされた時、その時点における端子110、112間の電位差を調べて端子110、112における極性を検知し、その極性を示す監視信号120を生成して制御部16へ出力する。本実施例では、端子110、112における極性がそれぞれ電池（-48V）、地気であるとき監視信号120をハイレベルに設定し、それぞれ地気、電池であるとき監視信号120をローレベルに設定するものとする。
【００１７】
リレー104は、リレー12により選択されたLINE側または加入者回路10をTEL側の電話機に接続する切換手段であり、入力電圧の極性を反転させて出力する転極手段を含む。具体的には、固定接点a1および可動接点a2、a3からなる切換接点T1と固定接点b1および可動接点b2、b3からなる切換接点T2とを有し、接点a2は接点b3に接続されると共にリレー12の接点a1に接続され、接点a3は接点b2に接続されると共にリレー12の接点b1に接続されている。さらに、接点a1、b1は、TEL側の端子114、116にそれぞれ接続されている。
【００１８】
また、リレー104は、制御部16から駆動電流122が供給されないとき、接点a1と接点a2間および接点b1と接点b2間をそれぞれ接続する。これにより、リレー12が加入者回路10を選択しているとき、加入者回路10の端子c1、c2はTEL側の端子114、116にそれぞれ接続される。制御部16から駆動電流122を受けたとき、接点a1を接点a2から切り離して接点a3に接続し、接点b1を接点b2から切り離して接点b3に接続する。これにより、リレー12が加入者回路10を選択しているとき、加入者回路10の端子c1、c2はTEL側の端子116、114にそれぞれ接続される。この場合、加入者回路10から出力される直流電圧は極性反転されて電話機へ供給される。
【００１９】
制御部16は、VoIPゲートウエイを構成する各部を制御するコンピュータであり、本実施例では、リレー12を駆動する駆動電流118と、PSTNインタフェース回路100からの監視信号120に基づいてリレー104を駆動する駆動電流122とを生成する機能を含む。具体的には、VoIPゲートウエイの電源がONにされ運用状態に設定されたとき、リレー12へ駆動電流118を供給し、VoIPゲートウエイの電源がオフ（OFF）にされ運用停止状態に設定されたとき駆動電流118の供給を停止する。また、監視信号120がローレベルのときリレー104へ駆動電流122を供給し、監視信号120がハイレベルのときリレー104へ駆動電流122を供給しない。なお、駆動電流122は、駆動電流118をリレー12へ供給するタイミングに合わせてリレー104へ供給するのが望ましい。
【００２０】
図１に示すVoIPゲートウエイの動作を説明すると、VoIPゲートウエイの電源がOFFの場合、リレー12では、制御部16から駆動電流118が供給されないので、接点a1と接点a2間および接点b1と接点b2間をそれぞれ接続する。また、リレー104では、制御部16から駆動電流122が供給されないので、接点a1と接点a2間および接点b1と接点b2間をそれぞれ接続する。これにより、LINE側の端子110、112はリレー12、104を介してTEL側の端子114、116にそれぞれ接続され、電話機はリレー104、12を介して公衆網に接続される。なお、端子110、112は公衆網からの給電を受けるが、以下、端子110、112における極性がそれぞれ電池、地気である場合をノーマル極性、逆の場合をリバース極性と称する。
【００２１】
次に、VoIPゲートウエイの電源をONにして運用状態に設定すると、制御部16ではリレー12へ駆動電流118を供給する。リレー12では、この駆動電流118に従って接点a1と接点a3間および接点b1と接点b3間をそれぞれ接続する。一方、着信誤検出防止回路14のPSTNインタフェース回路100では、VoIPゲートウエイの電源ON時におけるLINE側の端子110、112間の電位差を調べて端子110、112における極性を検知する。そして、端子110、112の極性がノーマル極性であるときはハイレベルの監視信号120を、リバース極性であるときはローレベルの監視信号120を制御部16へ出力する。
【００２２】
監視信号120がハイレベルの場合、制御部16ではリレー104に対して駆動電流122を供給しない。したがって、リレー104では、接点a1と接点a2間および接点b1と接点b2間をそれぞれ接続したままである。これにより、加入者回路10の端子c1、c2はリレー12、104を介してTEL側の端子114、116にそれぞれ接続される。加入者回路10では、端子c1、c2がそれぞれ電池、地気となるように端子c1、c2から直流を出力するので、端子114、116における極性はそれぞれ電池、地気となる。この場合、VoIPゲートウエイの電源がOFFのときの端子114、116における極性はそれぞれ電池、地気であるので、端子114、116における極性は接続切換により反転することはない。
【００２３】
しかし、監視信号120がローレベルの場合、制御部16ではリレー104へ駆動電流122を供給する。リレー104では、駆動電流122に従って接点a1と接点a3間および接点b1と接点b3間をそれぞれ接続する。これにより、加入者回路10の端子c1、c2はリレー12、104を介してTEL側の端子116、114にそれぞれ接続され、端子114、116における極性はそれぞれ地気、電池となる。この場合、VoIPゲートウエイの電源がOFFのときの端子114、116における極性はそれぞれ地気、電池であるので、端子114、116における極性は接続切換により反転することはない。
【００２４】
なお、制御部16では、駆動電流122を駆動電流118のタイミングに合わせてリレー104へ供給する。これにより、リレー12およびリレー104は同時に動作し、リレー12の接点a1、b1が接点a3、b3にそれぞれ接続されると同時にリレー104の接点a1、b1は接点a3、b3にそれぞれ接続されることになるので、接続切換の際、TEL側の端子114は地気に、端子116は電池にそれぞれ連続的に保持される。
【００２５】
このように本実施例によれば、TEL側の端子114、116をLINE側（公衆網側）の端子110、112から加入者回路10（IP網側）の端子c1、c2へ切り換えたとき、端子114、116における極性は切換前と同じになるので、接続切換による極性反転は生じない。したがって、電話機が着信を誤検出するという事態は発生しない。
【００２６】
図２は、本発明による通信装置の第２の実施例を示す。本実施例の通信装置は、図１の第１の実施例と同様に加入者回路10、リレー12、着信誤検出防止回路14および制御部16を含み、LINE側の端子110、112は公衆網に接続され、TEL側の端子114、116には電話機が接続されるVoIPゲートウエイである。ただし、本実施例における着信誤検出防止回路14のリレー104は、図１の場合と異なり、加入者回路10とリレー12との間に接続されている。なお、図２において、接続線に付した参照符号は同接続線に現れる信号を示す。また、図１の要素と同じものには同じ参照符号を付してある。
【００２７】
図１に示すVoIPゲートウエイと異なる点について説明すると、リレー104の接点a2は接点b3および加入者回路10の端子c1に接続され、接点a3は接点b2および加入者回路10の端子c2に接続され、さらに、接点a1、b1は、リレー12の接点a3、b3にそれぞれ接続されている。また、リレー12の接点a1、b1は図１の場合と同様にLINE側の端子110、112にそれぞれ接続されているが、接点a1、b1は図１の場合と異なりTEL側の端子114、116にそれぞれ接続されている。なお、制御部16は、リレー12へ駆動電流118を供給するタイミングに合わせてリレー104へ駆動電流122を供給してもよいが、本実施例では、リレー104へ駆動電流122を供給してからリレー12へ駆動電流118を供給するものとする。
【００２８】
次に、図２に示すVoIPゲートウエイの動作を説明すると、VoIPゲートウエイの電源がOFFの場合、制御部16は駆動電流118をリレー12へ供給しないので、リレー12では接点a1と接点a2間および接点b1と接点b2間をそれぞれ接続する。これにより、LINE側の端子110、112はリレー12を介してTEL側の端子114、116にそれぞれ接続され、電話機はリレー12を介して公衆網に接続される。次に、VoIPゲートウエイの電源をONにすると、着信誤検出防止回路14のPSTNインタフェース回路100では、電源ON時におけるLINE側の端子110、112間の電位差を調べて端子110、112における極性を検知する。そして、端子110、112がノーマル極性であるときはハイレベルの監視信号120を、リバース極性であるときはローレベルの監視信号120を制御部16へ出力する。
【００２９】
監視信号120がハイレベルの場合、制御部16ではリレー104に対して駆動電流122を供給しない。したがって、リレー104では、接点a1と接点a2間および接点b1と接点b2間をそれぞれ接続したままである。次いで、制御部16では、VoIPゲートウエイの電源がONにされてから一定の時間経過後にリレー12へ駆動電流118を供給する。リレー12では、駆動電流118に従って接点a1と接点a3間および接点b1と接点b3間をそれぞれ接続する。これにより、加入者回路10の端子c1、c2はリレー104、12を介してTEL側の端子114、116にそれぞれ接続されるので、端子114、116における極性はそれぞれ電池、地気となる。この場合、VoIPゲートウエイの電源がOFFのときの端子114、116における極性はそれぞれ電池、地気であるので、端子114、116における極性は接続切換により反転することはない。
【００３０】
しかし、監視信号120がローレベルの場合、制御部16ではリレー104に対して駆動電流122を供給する。リレー104では、接点a1と接点a3間および接点b1と接点b3間をそれぞれ接続する。次いで、制御部16では、VoIPゲートウエイの電源がONにされてから一定の時間経過後に、すなわちリレー104へ駆動電流122を供給した後にリレー12へ駆動電流118を供給する。リレー12では、駆動電流118に従って接点a1と接点a3間および接点b1と接点b3間をそれぞれ接続する。これにより、加入者回路10の端子c1、c2はリレー104、12を介してTEL側の端子116、114にそれぞれ接続され、端子114、116における極性はそれぞれ地気、電池となる。この場合、VoIPゲートウエイの電源がOFFのときの端子114、116における極性はそれぞれ地気、電池であるので、端子114、116における極性は接続切換により反転することはない。
【００３１】
このように本実施例によれば、TEL側の端子114、116をLINE側の端子110、112から加入者回路10の端子c1、c2へ切り換えたとき、端子114、116における極性は切換前と同じになるので、接続の切換による極性反転は生じない。したがって、電話機が着信を誤検出するという事態は発生しない。
【００３２】
図３は、本発明による通信装置の第３の実施例を示す。本実施例の通信装置は、加入者回路10、リレー12、制御部16およびPSTNインタフェース回路100を含み、LINE側の端子110、112は公衆網に接続され、TEL側の端子114、116には電話機が接続されるVoIPゲートウエイである。
【００３３】
ところで、加入者回路10は、電話機等に供給する直流の極性をノーマル極性からリバース極性へまたはリバース極性からノーマル極性へ変更する転極スイッチ130を備えている。本実施例は、この転極スイッチ130を利用して図２に示す着信誤検出防止回路14におけるリレー104の機能を実現するものであり、制御部16、PSTNインタフェース回路100および転極スイッチ130により図２に示す着信誤検出防止回路14の機能を実現している。なお、図３において、接続線に付した参照符号は同接続線に現れる信号を示す。また、図２の要素と同じものには同じ参照符号を付してある。
【００３４】
図３において、リレー12は、LINE側および加入者回路10のいずれかを選択する切換手段であり、接点a2、b2はLINE側の端子110、112にそれぞれ接続され、接点a3、b3は加入者回路10の端子c1、c2にそれぞれ接続され、さらに、接点a1、b1はTEL側の端子114、116にそれぞれ接続されている。PSTNインタフェース回路100は、図２の場合と同様にして監視信号120を生成し、制御部16へ出力するものである。
【００３５】
制御部16は、図２の場合と同様にしてリレー12へ駆動電流118を供給するものであるが、本実施例では、PSTNインタフェース回路100からの監視信号120に基づいて転極スイッチ130の制御を指示する制御信号132を生成し加入者回路10へ供給する。なお、制御部16は、駆動電流132を加入者回路10へ供給した後に駆動電流118をリレー12へ供給するものとする。
【００３６】
加入者回路10は、図２の場合と同様に、呼制御の過程で制御部16の指示に基づいて転極スイッチ130を制御し電話機に給電する直流の極性を転極する機能を含むものであるが、本実施例では、さらに制御部16から制御信号132が与えられたとき、上記の転極スイッチ130を制御して端子c1が地気、端子c2が電池になるように端子c1、c2から直流を出力するものとする。
【００３７】
次に、図３に示すVoIPゲートウエイの動作を説明すると、VoIPゲートウエイの電源がOFFの場合、制御部16は駆動電流118をリレー12へ供給しないので、リレー12では接点a1と接点a2間および接点b1と接点b2間をそれぞれ接続する。これにより、LINE側の端子110、112はリレー12を介してTEL側の端子114、116にそれぞれ接続され、電話機はリレー12を介して公衆網に接続される。次いで、VoIPゲートウエイの電源をONにして運用状態に設定すると、PSTNインタフェース回路100では、電源ON時におけるLINE側の端子110、112間の電位差を調べることにより端子110、112における極性を検知し、端子110、112における極性がノーマル極性であるときハイレベルの監視信号120を、リバース極性のときローレベルの監視信号120を制御部16へ出力する。
【００３８】
監視信号120がハイレベルの場合、制御部16では加入者回路10へ制御信号132を供給しない。したがって、加入者回路10では、端子c1、c2がそれぞれ電池、地気となるように端子c1、c2から直流を出力する。次いで、制御部16では、リレー12へ駆動電流118を供給する。リレー12では、この駆動電流118に従って接点a1と接点a3間および点b1と接点b3間をそれぞれ接続する。これにより、加入者回路10の端子c1、c2はリレー12を介してTEL側の端子114、116にそれぞれ接続され、端子114、116における極性はそれぞれ電池、地気となる。この場合、VoIPゲートウエイの電源がOFFのときの端子114、116における極性はそれぞれ電池、地気であるので、端子114、116における極性は接続切換により反転することはない。
【００３９】
しかし、監視信号120がローレベルの場合、制御部16では加入者回路10へ制御信号132を出力する。加入者回路10では、制御信号132に基づいて転極スイッチ130を制御し、端子c1が地気で端子c2が電池となるような直流を端子c1、c2から出力する。次いで、制御部16ではリレー12へ駆動電流118を供給する。リレー12では、この駆動電流118に従って接点a1と接点a3間および接点b1と接点b3間をそれぞれ接続する。これにより、加入者回路10の端子c1、c2はリレー12を介してTEL側の端子114、116に接続され、端子114、116における極性はそれぞれ地気、電池となる。この場合、VoIPゲートウエイの電源がOFFのときの端子114、116における極性はそれぞれ地気、電池であるので、端子114、116における極性は接続切換により反転することはない。
【００４０】
このように本実施例によれば、TEL側の端子114、116をLINE側の端子110、112から加入者回路10の端子c1、c2へ切り換えたとき、端子114、116における極性は切換前と同じであるので、接続の切換による極性反転は生じない。したがって、電話機が着信を誤検出するという事態は発生しない。
【００４１】
図４は、本発明による通信装置の第４の実施例を示す。本実施例の通信装置は、加入者回路10、リレー12、制御部16および着信誤検出防止回路18を含み、LINE側の端子110、112は公衆網に接続され、TEL側の端子114、116には電話機が接続されるVoIPゲートウエイである。
【００４２】
本実施例のVoIPゲートウエイは、TEL側の端子114、116をLINE側の端子110、112から加入者回路10の端子c1、c2へ切り換える際に、端子114、116を一定の時間、端子110、112および加入者回路10の端子c1、c2から切り離すことにより、TEL側の端子114、116に接続される電話機から接続切換により発生する極性反転が見えないようにしたものである。なお、図４において、接続線に付した参照符号は同接続線に現れる信号を示す。また、図１の要素と同じものには同じ参照符号を付してある。
【００４３】
本実施例のVoIPゲートウエイは、図１に示すVoIPゲートウエイの着信誤検出防止回路14を着信誤検出防止回路18に置き換えたものである。着信誤検出防止回路18は、図１の着信誤検出防止回路14と同様にリレー104を含むが、PSTNインタフェース回路100は有していない。
【００４４】
着信誤検出防止回路18のリレー104は、図１のリレー104と同様に、リレー12により選択された公衆網または端末給電回路10をTEL側の電話機に接続する切換手段であるが、転極手段に替えて、TEL側の端子114、116を一定時間地気に接続する地気接続手段を含む。具体的には、接点a2、b2はリレー12の接点a1、b1にそれぞれ接続され、接点a3、b3は共に地気に接続され、接点a1、b1はTEL側の端子114、116にそれぞれ接続されている。そして、制御部16から駆動電流122が供給されないとき、接点a1と接点a2間および接点b1と接点b2間をそれぞれ接続し、駆動電流122が供給されたとき、接点a1と接点a3間および接点b1と接点b3間をそれぞれ接続する。
【００４５】
制御部16は、図１の場合と同様にリレー12、104へ駆動電流118、122をそれぞれ供給する機能を含むものであるが、本実施例では、VoIPゲートウエイの電源がONにされたとき、リレー104へ駆動電流122を供給し、駆動電流122の供給を開始してから一定時間経過後にリレー12へ駆動電流118を供給し、駆動電流118の供給を開始してから一定時間経過後に駆動電流118の供給を停止する物とする。すなわち、制御部16は、リレー104へ駆動電流122を供給している期間内にリレー12が切換動作を終えるようなタイミングで駆動電流118、122をリレー12、104へそれぞれ供給する。
【００４６】
次に、図４に示すVoIPゲートウエイの動作を、図５を参照して説明すると、VoIPゲートウエイの電源がOFFの場合、リレー12では接点a1と接点a2間および接点b1と接点b2間をそれぞれ接続し、リレー104では接点a1と接点a2間および接点b1と接点b2間をそれぞれ接続する。これにより、LINE側の端子110、112は、リレー12、104を介してTEL側の端子114、116にそれぞれ接続され、電話機はリレー104、12を介して公衆網に接続される。
【００４７】
次いで、図５(G)に示す時間t1にVoIPゲートウエイの電源をONにすると、制御部16では、図５(D)に示すようにリレー104に対して駆動電流122を供給する。リレー104では、この駆動電流122に従って接点a1を接点a2から切り離して接点a3に接続し、接点b1を接点b2から切り離して接点b3に接続する。この場合、接点a3、b3は共に地気に接続されているので、TEL側の端子114、116は、図５(E)、(F)に示すように共に地気となる。なお、図５(E)、(F)は、VoIPゲートウエイの電源がOFFのときLINE側の端子110、112がそれぞれ地気、電池である場合の例を示す。
【００４８】
制御部16では、図５(A)に示すように、時間t1から一定の時間が経過した時間t2にリレー12へ駆動電流118を供給する。リレー12では、駆動電流118に従って接点a1と接点a3間および接点b1と接点b3間をそれぞれ接続する。これにより、加入者回路100の端子c1、c2はリレー12を介してリレー104の接点a2、接点b2にそれぞれ接続され、リレー104の接点a2、b2はそれぞれ電池、地気になる。なお、図５(B)、(C)は、VoIPゲートウエイの電源がOFFのときLINE側の端子110、112がそれぞれ地気、電池である場合の例を示す。
【００４９】
制御部16では、図５(D)に示すように、時間t2から一定の時間が経過した時間t3にリレー104に対する駆動電流122の供給を停止する。この場合、駆動電流122は、少なくともリレー12が切換動作を開始してから終了するまでの期間、リレー104へ供給される。リレー104では、駆動電流122の供給が停止されると、接点a1と接点a2間および接点b1と接点b2間をそれぞれ接続する。これにより、加入者回路10の端子c1、c2は、リレー12、104を介してTEL側の端子114、116にそれぞれ接続され、端子114、116はそれぞれ電池、地気になる。
【００５０】
このように本実施例では、リレー12によりTEL側の端子114、116をLINE側の端子110、112から加入者回路10の端子c1、c2へ切り換える際に、その切り換えが行なわれる過渡的な期間中、端子114、116をLINE側の端子110、112および加入者回路10の端子c1、c2から切り離して地気に接続し、接続切換が終了してから加入者回路10の端子c1、c2に接続しているので、LINE側の端子110、112における極性がリバース極性である場合でもTEL側の端子114、116における極性が接続切換により反転することはない。
【００５１】
図６は、本発明による通信装置の第５の実施例を示す。本実施例の通信装置は、加入者回路10、リレー12および制御部16を含み、LINE側の端子110、112は公衆網に接続され、TEL側の端子114、116には電話機が接続されるVoIPゲートウエイである。
【００５２】
図４のVoIPゲートウエイでは、TEL側の端子114、116をLINE側の端子110、112から加入者回路10の端子c1、c2へ切り換える際に、着信誤検出防止回路18のリレー104により、接続切換が行われる期間中、TEL側の端子114、116を地気に接続していたが、本実施例では、接続切換が行われる期間中、加入者回路10の端子c1、c2を地気にすることによりTEL側の端子114、116を地気に保持するものである。ただし、構成上は、図３のVoIPゲートウエイからPSTNインタフェース回路100を除いたものとなっている。なお、図６において、接続線に付した参照符号は同接続線に現れる信号を示し、図３の要素と同じものには同じ参照符号を付してある。
【００５３】
図６の制御部16は、図３の場合と同様にしてリレー12へ駆動電流118を供給するものであるが、本実施例では、VoIPゲートウエイの電源がONにされたとき、加入者回路10へ制御信号150を供給し、制御信号150の供給を開始してから一定時間経過後にリレー12へ駆動電流118を供給し、駆動電流118の供給を開始してから一定時間経過後に制御信号150の供給を停止する機能を含む。すなわち、制御部16は、加入者回路10へ制御信号150を供給している期間中に、リレー12が切換動作を終えるようなタイミングで駆動電流118をリレー12へ、制御信号150を加入者回路10へそれぞれ供給する。
【００５４】
加入者回路10は、図３の場合と同様に、呼制御の過程で制御部16の指示に基づいて転極スイッチ130を制御し電話機に給電する直流の極性を転極する機能を含むものであるが、本実施例では、さらに制御部16から制御信号150が与えられたとき、端子c1、c2が共に地気となるように転極スイッチ130を制御し、制御信号150の供給が停止されたとき、端子c1、c2がそれぞれ電池、地気となる給電が行われるように転極スイッチ130を制御するものとする。
【００５５】
次に、図６に示すVoIPゲートウエイの動作を、図７を参照して説明すると、VoIPゲートウエイの電源がOFFの場合、リレー12では接点a1と接点a2間および接点b1と接点b2間をそれぞれ接続するので、LINE側の端子110、112はリレー12を介してTEL側の端子114、116にそれぞれ接続され、電話機はリレー12を介して公衆網に接続される。例えば、図７(G)に示す時間t1にVoIPゲートウエイの電源をONにすると、制御部16では、図７(A)に示すように加入者回路10へ制御信号150を出力する。加入者回路10では、制御信号150に基づいて転極スイッチ130を制御し、端子c1、c2からの給電を停止して図７(B)、(C)に示すように端子c1、c2を共に地気に保持する。
【００５６】
次いで、制御部16では、図７(D)に示すように、時間t1から一定の時間が経過した時間t2にリレー12へ駆動電流118を供給する。リレー12では、駆動電流118に従って接点a1と接点a3間および接点b1と接点b3間をそれぞれ接続する。これにより、加入者回路10の端子c1、c2はリレー12を介してTEL側の端子114、116にそれぞれ接続され、端子114、116における極性は、図７(E)、(F)に示すように時間t2で共に地気となる。なお、図７(E)、(G)は、LINE側の端子110、112が、VoIPゲートウエイの電源がOFFのときに、それぞれ地気、電池である場合の例を示す。
【００５７】
制御部16では、図７(A)に示すように、時間t2から一定の時間が経過した時間t3に加入者回路10への制御信号150の供給を停止する。加入者回路10では、図７(B)、(C)に示すように、転極スイッチ130を制御して端子c1、c2が電池、地気となるように直流を端子c1、c2から出力する。これにより、TEL側の端子114、116における極性は、図７(E)、(F)に示すようにそれぞれ電池、地気になる。
【００５８】
このように本実施例では、リレー12を切り換えてTEL側の端子114、116をLINE側の端子110、112から加入者回路10の端子c1、c2へ切り換える際に、加入者回路10の端子c1、c2を地気に保持してからTEL側の端子114、116を加入者回路10の端子c1、c2へ切り換え、その後に加入者回路10の端子c1、c2がそれぞれ電池、地気となるように端子c1、c2から直流を出力しているので、LINE側の端子110、112における極性がリバース極性である場合でもTEL側の端子114、116における極性は反転することはない。したがって、電話機が着信を誤検出するという事態は発生しない。
【図面の簡単な説明】
【００５９】
【図１】本発明による通信装置がVoIPゲートウエイである場合の第１の実施例を示すブロック図である。
【図２】本発明による通信装置がVoIPゲートウエイである場合の第２の実施例を示すブロック図である。
【図３】本発明による通信装置がVoIPゲートウエイである場合の第３の実施例を示すブロック図である。
【図４】本発明による通信装置がVoIPゲートウエイである場合の第４の実施例を示すブロック図である。
【図５】図４に示すVoIPゲートウエイの動作を示すタイムチャートである。
【図６】本発明による通信装置がVoIPゲートウエイである場合の第５の実施例を示すブロック図である。
【図７】図６に示すVoIPゲートウエイの動作を示すタイムチャートである。
【図８】従来のVoIPゲートウエイの一例を示すブロック図である。
【符号の説明】
【００６０】
10  加入者回路
12、104  リレー
14、18  着信誤検出防止回路
16  制御部
100  PSTNインタフェース回路
130  転極スイッチ
【図１】
2005130234.tif 000003
【図２】
2005130234.tif 000004
【図３】
2005130234.tif 000005
【図４】
2005130234.tif 000006
【図５】
2005130234.tif 000007
【図６】
2005130234.tif 000008
【図７】
2005130234.tif 000009
【図８】
2005130234.tif 000010